(57)【要約】  【課題】紙を折り畳んで均一な紙製の飾り花を形成する。  【解決手段】上部体に設けたフック部２３ａと係脱可能に掛止する掛止金具１９を取付けるベース部１２を正面に設ける。モータ３８を装着した上部体２３の内部に正逆の螺条部Ａ、Ｂを有した螺子軸２６、２６を夫々平行に軸承し、該螺子軸に伸縮可能に形成した蛇腹状折板２７の両側に設けた穴２７ｂ、２７ｂを緩挿通し、該蛇腹状折板の両端外部に取付けた可動部２９、２９を螺合する。前記上部体２３の後部を上下動可能に取付けるハウジング３４のアーム部３４ｂ、３４ｂと前記ベース部を軸杆で回動可能に軸支し、該上部体２３を上下動可能にバネ３６、３６で吊下げたハウジング３４内に、前記モータの第１プーリ３８ａと前記螺子軸に設けた第２、３プーリ２６ａ、２６ｂとを伝達手段３９で連動させて操作ハウジング２２を設ける。  【選択図】  図１
0003129163.tif 000002
【実用新案登録請求の範囲】
【請求項１】
中央に設けた溝部（１６）内にスプリング（１７、１７）で上方に弾発させたアクリル板（１８）を装着し、正面に掛止金具（１９）を取り付けた方形のベース部（１２）を形成し、
上部後面にモータ（３８）を装着して方形をした上部体（２３）の内部に平行に配し、中央から対称的に正逆の螺条部（Ａ、Ｂ）を有した螺子軸（２６、２６）をそれぞれ軸承して伸縮可能に形成した蛇腹状折板（２７）の両側に設けた穴（２７ｂ、２７ｂ）に該螺子軸を緩挿通し、該蛇腹状折板の両端外部に取り付けた可動部（２９、２９）に螺合させ、該上部体（２３）の正面中央に把手（２４）を取り付けると共に、前記掛止金具（１９）と係脱可能に掛止するフック部（２３ａ）を設け、
前記ベース部（１２）の下部四隅部にゴムパッド（１５、１５）を設けると共に、後方下部に設けた取付部（２０、２０）と、前記上部体（２３）の後部を上下動可能に取り付けるハウジング（３４）の後部両側に設けたアーム部（３４ｂ、３４ｂ）とを軸杆（３３、３３）で回動可能に軸支し、前記上部体の一側にガイド部（２５）を設け、
該上部体（２３）を上下動可能にバネ（３６、３６）で吊り下げて取り付けたハウジング（３４）内に、前記モータの第１プーリ（３８ａ）と前記螺子軸に設けた第２、３プーリ（２６ａ、２６ｂ）とを伝達手段（３９）で連動して進退動する前記蛇腹状折板（２７）を具えた操作ハウジング（２２）を設け、前記操作ハウジング（２２）を操作する制御ボックス（５０）を具えてなることを特徴とする紙花折り装置。
【請求項２】
前記ガイド部（２５）は、引き伸ばされた前記蛇腹状折板（２７）を等間隔に案内するため上部体（２３）の一側下部に該上部体に対して進退動可能に設け凹凸部（２５ａ）と、該凹凸部を操作する操作アーム（２５ｂ）とからなることを特徴とする請求項１記載の紙花折り装置。
【請求項３】
前記蛇腹状折板（２７）は、その上下部を交互に連続して折り畳んで伸縮可能に形成すると共に下端の紙押さえ部（３０）に複数の短針（３１、３１）をそれぞれ固着し、該蛇腹状折板の下端中央に逆Ｖ字状の切欠凹部（３０ａ）を設けてなることを特徴とする請求項１記載の紙花折り装置。
【考案の詳細な説明】
【技術分野】
【０００１】
本考案は、紙を細巾の蛇腹状に折り畳み中央部分を糸で結んだ後、両側を広げて飾り花を形成する紙花折り装置に関する。
【背景技術】
【０００２】
図７に示すように、方形をした和紙１を複数枚重ねた状態で折り目２を介して連続して細巾状に折り畳んで蛇腹状にして折畳片４、４を形成し、その中間部分を糸３で結ぶ（図８）。ついで、作業者が折畳片４、４の各折り目２を１枚づつ皺を伸ばして広げた花びら片４ａ、４ａを、両端部分から１枚づつ図１０の紙面の上方、即ち紙面から離れるように上方に引き上げながら中心方向に密集するように交互に抱き合わせながら重ねて略同心円状に形成する。之を繰り返して全部の花びら４ａ、４ａを中心に密集させることにより装飾用の紙製飾り花を形成し、運動会や学芸会などの催し物会場の各所を、自分達が手作業により形成した紙製の飾り花で飾って装飾をほどこしている。
【０００３】
紙製飾り花を製作する場合は、多数の人の手作業によって一定の大きさをした紙１を細巾の蛇腹状に折り畳み、ついで、中央部を糸で３結んで両側に折畳片４、４を形成する。この場合、人によって指先が器用であったり、不器用であったり、さらには、作業に熱心であったり、いい加減であったりするため、大勢の人によって紙を折り畳んで折畳片４、４を作る場合は、折り目２の数が相違してしまい花の形状が相違して不揃いになってしまうという欠点があった。
【０００４】
しかし、短時間に紙を折り畳んで多量の飾り花を製作する場合には、大勢の人が紙を折り畳んで飾り花を形成しないと納期に間に合わないため、必然的に大勢の人によって紙を細巾に折って折畳片４、４を形成することになる。しかし、あらかじめ折り目の数を決めていても、上記のようにいい加減に作業をする人や、不器用な人などさまざまな人が紙折り作業を行うと、出来上がった折畳片４、４の数が相違して必然的に飾り花が均一にならないという欠点があった。
【０００５】
また、例えば特許文献１に示すように、花の部分をそれぞれ別々に構成して組み立てる形式の造花もあるが、これらは部品を購入して組み立てたり、出来上がった造花を購入して飾るためコストが高くなるという欠点があった。之に対し、紙を細巾に折り畳んだ後、折り目を伸ばして紙の皺を伸ばしながら形成する紙製の飾り花は誰でも容易に作ることができると共に、コストが安いという利点がある。
【特許文献１】登録実用新案第３１０３５６０号公報
【考案の開示】
【考案が解決しようとする課題】
【０００６】
上記のように紙製の飾り花を多数製作する場合に、大勢の人の手作業により紙を細巾に折り畳んだ折畳片を作ると折り目の数が相違してしまい、必然的に花びらの枚数が相違して飾り花の形状が不揃いになってしまうため、装飾効果が低下するという欠点を有していた。
本考案は、本装置により誰が作っても同じように紙を折ることができ、スピーディーに折れること、折った後の紙質がピンとして均一な紙製の飾り花を形成することができるようにすることを目的とする。
【課題を解決するための手段】
【０００７】
上記課題を解決するために本考案は、中央に設けた溝部１６内にスプリング１７、１７で上方に弾発させたアクリル板１８を装着して、正面に掛止金具１９を取り付けた方形のベース部１２を形成し、上部後面にモータ３８を装着して方形をした上部体２３の内部に平行に配し、中央から対称的に正逆の螺条部Ａ、Ｂを有した螺子軸２６、２６をそれぞれ軸承して伸縮可能に形成した蛇腹状折板２７の両側に設けた穴２７ｂ、２７ｂに該螺子軸を緩挿通し、該蛇腹状折板の両端外部に取り付けた可動部２９、２９に螺合させ、該上部体２３の正面中央に把手２４を取り付けると共に、前記掛止金具１９と係脱可能に掛止するフック部２３ａを設け、前記ベース部１２の下部四隅部にゴムパッド１５、１５を設けると共に、後方下部に設けた取付部２０、２０と、前記上部体２３の後部を上下動可能に取り付けるハウジング３４の後部両側に設けたアーム部３４ｂ、３４ｂとを軸杆３３、３３で回動可能に軸支して、前記上部体の一側にガイド部２５を設け、該上部体２３を上下動可能にバネ３６、３６で吊り下げて取り付けたハウジング３４内に、前記モータの第１プーリ３８ａと前記螺子軸に設けた第２、３プーリ２６ａ、２６ｂとを伝達手段３９で連動して進退動する前記蛇腹状折板２７を具えた操作ハウジング２２を設け、前記操作ハウジング２２を操作する制御ボックス５０を具えてなることを特徴とする。
【０００８】
前記ガイド部２５は、引き伸ばされた前記蛇腹状折板２７を等間隔に案内するために上部体２３の一側下部に前記上部体に対して進退動可能に設けた凹凸部２５ａと、該凹凸部を操作する操作アーム２５ｂとからなる。また、前記蛇腹状折板２７は、その上下部を交互に連続して折り畳んで伸縮可能に形成すると共に下端の紙押さえ部３０に複数の短針３１、３１をそれぞれ固着し、該蛇腹状折板の下端中央に逆Ｖ字状の切欠凹部３０ａを設けてなることを特徴とする。
【０００９】
中心から対称的に正逆の螺条部を有した螺条部を有した螺子軸に、上下部を交互に連続して伸縮可能に形成した蛇腹状折板を用いて複数重ねた紙を等間隔に折り畳む為、誰が折っても同じようにスピーディに形成することができ、折り目の数が同じであるから仕上げた多数の飾り花を均一に形成することができる。
【考案の効果】
【００１０】
上記のように、本装置を使用することにより蛇腹状折板を用いて複数枚重ねた和紙を常に同じ折り目に折り畳むことができるので、手作業により皺を伸ばした花びらを集めて形成する紙製の飾り花を、均一に形成することができるという利点を有する。
【考案を実施するための最良の形態】
【００１１】
本考案の実施形態を図面に基づいて説明すると、図１は本考案に係る紙花折り装置の一部破断した側面図、図２は同平面図、図３は同一部破断した正面図、図４は操作ボックスの斜視図、図５は操作ボックスを後部上方に立ち上がらせた状態の斜視図である。本体１０は、折畳用の紙を複数枚重ねて載置させるベース部１２と、このベース部の後部に回動可能に取り付けて上方に回動して立ち上がらせることのできる上部体２３及びハウジング３４とからなる操作ボックス２２と、該操作ボックス２２を操作する制御ボックス５０とからなるものである。
【００１２】
ベース部１２は、間隔を存して平行に配した側枠１３、１３の両端をそれぞれ連結杆１４、１４で連結して方形枠体に形成してあり、該ベース部１２の底面の略四隅部分に、それぞれゴムパッド１５、１５を装着してある。この方形枠体をしたベース部１２の中央上面に設けた溝部１６内に装着した複数、例えば４本のスプリング１７でアクリル板１８を上方に押し上げるように設置し、このアクリル板１８上に紙折り花の素材である紙１、特に和紙を載置させるようにしてある。
【００１３】
ベース部１２の上面には立上がり可能に操作ボックス２２を設置し、該ベース部１２の正面中央に軸１９ａで回動可能に掛止金具１９を取り付け、この掛止金具には復帰用のバネ（図示せず）が装着してベース部側に自動復帰するように構成してある。さらに、側枠１３、１３の後部に前記操作ボックスを回動可能に軸支する軸杆３３を取り付ける取付部２０、２０をそれぞれ設けてある。
【００１４】
前記ベース部１２の上面に回動可能に装着する操作ボックス２２は、ベース部１２とほぼ同形或いは一回り小さく形成して方形上の上部体２３であって、その正面中央に、該上部体を上下動させる際に作業者が手で保持するためのコ字型をした把手２４を取り付けてある。さらに、該把手の下方であって該上部体２３の中央下部には、前記掛止金具１９が掛脱可能に掛止するフック部２３ａを前方に折り曲げて形成してある。
【００１５】
この上部体２３の内部中間に位置させて２本の螺子軸２６、２６を平行に配して該上部体２３の前後部にそれぞれ軸承してある。この螺子軸２６、２６にはステンレスなどの板材を蛇腹状に連続して折り込んで伸縮可能に形成した蛇腹状折板２７の両側部分に設けた穴２７ｂ、２７ｂに緩挿通させ、さらに、該蛇腹状折板２７の両端外側に前記螺子軸２６、２６に螺合する可動部２９、２９をそれぞれ固着してある。
【００１６】
螺子軸２６、２６は、その中間部から夫々正回転及び逆回転するように対称的な正逆の螺子部Ａ、Ｂを設けてあるので、該螺子軸２６、２６が正回転すると中央部分に密着して位置する蛇腹状折板２７の両端部に位置した可動部２９、２９は外方に移動し、それによって該蛇腹状折板を引き伸ばす。また、該螺子軸２６、２６が逆回転すると引き伸ばされた蛇腹状折板２７の両端に位置する可動部２９、２９が外方から中央部に移動して寄せ集まるように構成してある。
【００１７】
この蛇腹状折板２７の各下端に設けた紙押さえ部３０、３０の下端部には、図６に示すように、下方に重ねて位置した紙１を下方に押さえる例えば4本位の短針３１、３１を、略一定間隔ごとに植え込んで接着剤等で固着してある。さらに、該蛇腹状折板２７の下方に設けた紙押さえ部３０の中央部には下方から上方に向かって逆Ｖ字型をした切欠凹部３０ａを設けてある。この場合、必要に応じて前記螺子軸２６、２６の下方位置に、両端を前記上部体の前後部に軸支させたガイド軸２８、２８を設け、該ガイド軸を前記蛇腹状折板２７に設けた挿通穴２７ａ、２７ａに緩挿通させてあると、該蛇腹状折板の伸縮は容易となり好ましい。しかし、該蛇腹状折板２６は上下部が交互に連続しているので必ずしも必要ではない。
【００１８】
前記側枠１３、１３の後部に設けた取付部２０、２０と、上部体２３を上下動可能にハウジング３４の前部に装着した操作ボックス２２の後部に有したハウジング３４の後部両側に設けたアーム３４ｂ、３４ｂとを軸杆３３、３３で回動可能に軸支してある。さらに、ハウジング３４内に上下方向に設けた支持板３４ａの上部に設けた支持軸３５、３５に上端を止着した一対のスプリング３６、３６の下端を、上部体２３の後面下部に設けた受軸３７、３７に掛止して該上部体２３を上方から吊り下げてある。この上部体２３は、１０〜２０ｍｍ、好ましくは１５ｍｍ程度上下動できるようにハウジング３４の前部に装着してある。これにより複数重ねた紙の厚みにより上部体２３の下面の位置が上下動するのを吸収することができる。
【００１９】
この上部体２３の上部後側に取り付けたモ−タ３８のモータ軸に軸着した第１プーリ３８ａと、前記螺子軸２６、２６の後端に夫々軸着した第２、３プーリ２６ａ、２６ｂとをそれぞれハウジング３４内に位置し、ベルトやチェーンなどの伝達手段３９で各プーリを連動してある。さらに、第２、３プーリ２６ａ、２６ｂの中間位置であって、テンション機能を有した第４プーリ４０を前記上部体２３の後面に上下動可能に設けてあり、上部体２３が上下動することにより伝達手段３９の緩みを該第４プーリ４０が上下動して吸収するようにしてある。
【００２０】
制御ボックス５０は、本体１０の操作ボックス２２に設けてもよいが、本体１０と別体に形成してケーブルコード４３で連結してもよい。４４はコード線で先端にプラグ４５を有してある。５１は電源スイッチ、５２は第１操作レバー、５３は第２操作レバー、５４はパイロットランプである。該制御ボックス５０は、前記操作ハウジング３８に連結したケーブルコード４３と電源スイッチ５１と第１操作レバー５２と第２操作レバー５３とパイロットランプ５４とプラグ４５を具えたコード線４４とを備えてなり、前記操作ハウジングに具えたモータ３８を制御するものである。
【００２１】
次に、本装置の作用について説明すると、操作ボックス２２にケーブルコード４３で連結した制御ボックス５０に接続するコード線４４のプラグ４５を、家庭用１００Ｖ電源に接続した後、図１に示した掛止金具１９をフック部２３ａから外し、操作ボックス２２の上部体２３の把手２４を保持して軸杆３３、３３を支点にして該操作ボックス２２を上方に約９０度回動させて立ち上げる（図５）。
【００２２】
和紙１を１０〜１５枚、好ましくは略１３枚を重ねてベース部１２の中心に位置したアクリル板１８上に載置させた後、上部体２３をゆっくり下方に回動してベース部１２上の元の位置に戻す（図４）。この場合、図１、３に示すように、上部体２３はスプリング３６、３６で上方から約１５ｍｍ位の範囲で上下動できるように吊り下げられているので、アクリル板１８上に載置させた紙１が１０枚程度重ねると、その分、上部体の下端位置は上昇するが上部体２３の下面位置はスプリング３６、３６で自動的に調整される。
【００２３】
制御ボックス５０に設けた電源スイッチ５１をＯＮにすると、パイロットランプ５４が点灯して電源に接続したことがわかる。さらに、上部体２３の一側に設けたガイド部２５の操作アーム２５ｂを直立させた後、第１操作レバー５２を操作するとモ−タ３８が駆動して、第１、２、３プーリ３８ａ、２６ａ、２６ｂおよび伝達手段３９を介して螺子軸２６、２６を正回転する。この螺子軸２６、２６が正回転すると、中央部に接近した状態の蛇腹状折板２７は該螺子軸２６、２６に螺合している可動部２９、２９が夫々外方に移動して該蛇腹状折板２７を前後方向に引き伸ばして該上部体２３の略内部一杯に引き伸ばされる（図１）。この蛇腹状折板の任意個所に取り付けた作動子（図示せず）が所定位置に達っするとマイクロスイッチ（図示せず）をＯＮしてモータ３８を停止する。
【００２４】
この場合、上部体２３の下部一側または両側にガイド部２５を設けてある。このガイド部２５は、該上部体の一側外部に設けてあり、該上部体に向かって前部を連続した山型状に形成した凹凸部２５ａの両端を蝶番２５ｃ，２５ｃで上部体の外側に蝶着し、該凹凸部を上部体内に進入できるように設けてある。この凹凸部の中間部分に位置させて上部体の外部に操作アーム２５ｂを設けてある。この操作アーム２５ｂは、その下端に取り付けた前記凹凸部２５ａを進退動可能に操作する。そして、該アーム２５ｂを外側に倒すと前記モータの回転を停止すると共に、前記凹凸部２５ａを上部体の内部に進入して、上部体内に略一杯に引き伸ばされた蛇腹状折板２７の各折り目内に前記凹凸部２５ａを進入させて、該蛇腹状折板を等間隔に調整した後、該操作アーム２５ｂを元のように直立させる。この場合、各蛇腹状折板２７の間隔が均一になるように該蛇腹状折板２７の上面部分を手で調整しても良く、上部体２３の上面は開口しているので該上部体内に手を入れて前記蛇腹状折板の上部をなでて等間隔に調整することもできる。
【００２５】
蛇腹状折板２７の両端に取り付けた可動部２９、２９が、前記正逆の螺条部Ａ、Ｂを設けた螺子軸２６、２６に螺合しているので、該螺子軸が回転すると該蛇腹状折板は強制的に引き伸ばされ、且つ、上部体２３の一側に設けたガイド部２５によって略均一な等間隔に調整することができる。
【００２６】
ついで、ガイド部２５の操作アーム２５ｂを外側に倒し、前記凹凸部２５を前進させて引き伸ばされた蛇腹状折板２７を強制的に等間隔にし、把手２４を保持して上部体２３を下方に強く押し付けると、紙押さえ部３０の下部に植設した短針３１、３１が和紙を下方に押し付けて刺して固定する。さらに、掛止金具１９とフック部２３ａとを掛止して上部体２３をベース部１２上に固定する。
【００２７】
さらに、ガイド部２５の操作アーム２５ｂを内側に倒して直立させて蛇腹状折板２７が可動できるようにし、ついで、制御ボックス５０の第２操作レバー５３を操作し、前記モータ３８を介して螺子軸２６、２６を逆回転させると、引き伸ばされた前記蛇腹状折板２７は、可動部２９、２９を中央部方向に寄せ集められるように接近する。即ち、蛇腹状折板の紙押さえ部３０、３０は、各蛇腹状折板の間隔が開いている状態で、上部体２３を下方に押し下げて各紙押さえ部の短針３１、３１を、重ねられた紙１に突き刺して固定し、この状態で可動部２９、２９が中央方向に接近すると、前後方向に伸ばされている蛇腹状折板２７の間隔が狭められる。
【００２８】
重ねられた和紙の下面はアクリル板１８が位置しているが、該和紙の上方には各蛇腹状折板の間に空間を有しているので、紙は該空間内に折り曲げられて進入して一定長さの折り目を形成する。蛇腹状折板２７が中央部に圧縮して，該蛇腹状折板に設けた作動子（図示せず）がマイクロスイッチ（図示せず）をＯＮするとモータ３８は停止する。
【００２９】
ついで、ベース部１２の正面中央に設けた掛止金具１９をフック部２３ａから外して上部体２３を上方に立ち上がらせる。前記蛇腹状折板２７の下部中間に切欠凹部３０ａを設けてあるので、該蛇腹状折板２７によって折り畳まれた和紙の中間部分を固定するための糸を該切欠凹部３０ａと折畳片４との間の間隙部Ｅ内に挿通して二重に回して軽く縛り、糸の位置が中央に位置するように調整してから絞り込んで固着する。尚、和紙１の両端部分に位置する部分が長い場合は、他の折り畳み部分の長さに揃えてから糸で縛る。
【００３０】
立ち上がっている上部体２３の正面に位置した把手２４を保持して、該上部体をゆっくり下方に移動させてベース部１２上に戻し、ついで、制御ボックス２２に設けた前記第１操作レバー５２を操作して狭められている前記蛇腹状折板２７を少し開き、折り畳まれた和紙と前記切欠凹部３０ａとの間の間隙部ＥにＬ字の工具（図示せず）を挿入し、該上部体２３を上方に少し持ち上げながらＬ字の工具を下方に押し下げて蛇腹状折板２７から折り畳まれた和紙を外す。
【００３１】
この蛇腹状折板２７から和紙が外れたら、該上部体２３をさらに上方に立ち上がらせて、該上部体２３の該蛇腹状折板２７の下側から折り畳まれて中央部分を紐で結わかれた折畳紙の製法の一サイクルが終了する。このように折り畳まれた紙製の飾り花は、糸３の位置と折り込みを整え、さらに糸を強く絞り込んで結んで紙折り作業は完了する。
【図面の簡単な説明】
【００３２】
【図１】本考案に係る紙花折り装置の一部破断した側面図である。
【図２】同平面図である。
【図３】同一部破断した正面図である。
【図４】操作ボックスの斜視図である。
【図５】操作ボックスを後部上方に立ち上がらせた状態の斜視図である。
【図６】蛇腹状蛇腹状折板の正面図である。
【図７】紙の平面図である。
【図８】紙を細巾の蛇腹状に折り畳んで形成した折畳片の中間部を糸で結んだ状態の斜視図である。
【図９】図８に示した折畳片の端面拡大図である。
【図１０】折畳片の折り目を伸ばして左右に広げて花びらを作る前状態を示す平面図である。
【符号の説明】
【００３３】
１２      ベース部
１５      ゴムパッド
１６      溝部
１７      スプリング
１８      アクリル板
１９      掛止凹部
２０      取付部
２２      操作ボックス
２３      上部体
２３ａ    フック部
２４      把手
２５      ガイド部
２５ａ    凹凸部
２５ｂ    操作アーム
２６      螺子軸
２６ａ    第２プーリ
２６ｂ    第３プーリ
２７      蛇腹状折板
２７ｂ    穴
２９      可動部
３０      紙押さえ部
３０ａ    切欠凹部
３１      短針
３３      軸杆
３４      ハウジング
３４ａ    支持板
３４ｂ    アーム部
３６      スプリング
３８      モータ
３８ａ    第１プーリ
３９      伝達手段
５０      制御ボックス
Ａ      螺条部
Ｂ      螺条部
【図１】
0003129163.tif 000003
【図２】
0003129163.tif 000004
【図３】
0003129163.tif 000005
【図４】
0003129163.tif 000006
【図５】
0003129163.tif 000007
【図６】
0003129163.tif 000008
【図７】
0003129163.tif 000009
【図８】
0003129163.tif 000010
【図９】
0003129163.tif 000011
【図１０】
0003129163.tif 000012